(57)【要約】【課題】装置本体に対し透光カバーの着脱を容易に行うことができる照明装置を提供する。【解決手段】照明装置１は、光源を有し、光源から出射された光を通過させる開口２ａが形成された装置本体２と、長尺であり、光源を覆う透光性の透光カバー７とを備える。また、透光カバー７は、Ｙ軸方向と交差するＸ軸方向の両端部の一方と他方とを架橋状態で接続する補強部８７を有する。そして、透光カバー７は、開口２ａを閉じるように開口２ａにスライド挿入されることで、装置本体２に保持される。【選択図】図５
2019016556.tif 000002
【特許請求の範囲】
【請求項１】
光源を有し、前記光源から出射された光を通過させる開口が形成された装置本体と、
長尺であり、前記光源を覆う透光性の透光カバーとを備え、
前記透光カバーは、
長手方向と交差する短手方向の両端部の一方と他方とを架橋状態で接続する補強部を有し、
前記開口を閉じるように前記開口にスライド挿入されることで、前記装置本体に保持される
照明装置。
【請求項２】
前記透光カバーは、さらに、
前記開口を覆う第１透光カバーと、
前記第１透光カバーに固定される枠部と、前記枠部の両縁部の一方縁及び他方縁の各々に沿って形成された一対の傾斜部とを有する第２透光カバーとを有し、
前記一対の傾斜部は、前記透光カバーを前記長手方向と直交する平面で切断して断面視した場合に、前記第１透光カバーに近づくにつれて末広がりであり、
一対の傾斜部と前記第１透光カバーとの間には、空間が形成されている
請求項１に記載の照明装置。
【請求項３】
前記補強部は、前記一対の傾斜部を架橋状態で接続する
請求項２に記載の照明装置。
【請求項４】
前記一対の傾斜部は、前記長手方向における前記第１透光カバーの長さよりも短い
請求項２又は３に記載の照明装置。
【請求項５】
前記透光カバーは、さらに、爪部を有し
前記装置本体は、前記爪部と係合する受け具を有し、
前記受け具は、
前記爪部をスライド可能に挿入する挿入口が形成され、前記爪部を第１の態様で保持する第１保持部と、
前記第１保持部を通過して挿入される前記爪部を当て留める第２保持部と、
前記第１保持部から前記第２保持部に跨って設けられて前記爪部とスライド可能に係合する係止片とを有し、
前記爪部は、前記第２保持部と前記係止片とにより、第１の態様と異なる第２の態様で保持される
請求項１〜４のいずれか１項に記載の照明装置。
【請求項６】
前記第２保持部は、前記第１保持部に対して上る段状に形成される
請求項５に記載の照明装置。
【請求項７】
前記光源は、基板に実装された複数の第１光源と、前記基板に実装された複数の第２光源とを有し、
さらに、周囲を照明する光を出射する板部と、前記複数の第２光源が出射した光を前記板部に導光させる湾曲部とを有し、前記複数の第２光源が出射した光を導光する導光板と、
前記長手方向と直交する平面で切断して断面視した場合に、前記湾曲部に沿って配置され、前記第１光源から出射する光が前記導光板に入射するのを妨げる遮光部材とを備え、
前記傾斜部は、前記長手方向と直交する平面で切断して断面視した場合に、前記遮光部材に沿って配置されている
請求項２〜４のいずれか１項に記載の照明装置。
【請求項８】
さらに、基板に実装された複数の第１光源と、前記基板に実装された複数の第２光源とを有する前記光源を制御する制御部を備え、
前記導光板は、第１導光板と、第２導光板とを有し、
当該照明装置を平面視した場合において、
前記第１導光板から光が出射する第１出射領域と、前記第２導光板から光が出射する第２出射領域と、前記複数の第１光源から光が出射する第３出射領域とを備え、
前記制御部は、前記第１出射領域、前記第２出射領域及び前記第３出射領域から出射する光を選択的に点灯させる
請求項７に記載の照明装置。
【請求項９】
前記複数の第１光源は、前記長手方向に配列され、
前記複数の第２光源は、前記複数の第１光源の配列の短手方向における前記基板の両端部の一方及び他方で、前記長手方向に沿って配列され、
前記導光板は、前記長手方向に長尺な第１導光板と、前記長手方向に長尺な第２導光板とを有し、
前記第１導光板は、
前記複数の第１光源の前記一方に配置され、
前記複数の第１光源の前記一方に配列された一部の第２光源が出射する光を導光させ、
前記第２導光板は、
前記複数の第１光源の前記他方に配置され、
前記複数の第１光源の前記他方に配列された他の一部の第２光源が出射する光を導光させ、
前記遮光部材は、第１遮光部材と、第２遮光部材とを有し、
前記第１遮光部材は、前記第１導光板と前記複数の第１光源との間に配置され、前記複数の第１光源から出射する光が前記第１導光板に入射するのを妨げ、
前記第２遮光部材は、前記第２導光板と前記複数の第１光源との間に配置され、前記複数の第１光源から出射する光が前記第２導光板に入射するのを妨げる
請求項８に記載の照明装置。
【請求項１０】
前記透光カバーをスライドする方向は、前記長手方向である
請求項９に記載の照明装置。
【請求項１１】
前記第１出射領域、前記第２出射領域及び前記第３出射領域から出射する光量は、略等しい
請求項８〜１０のいずれか１項に記載の照明装置。
【請求項１２】
前記第１出射領域、前記第２出射領域及び前記第３出射領域のそれぞれの面積は、略等しい
請求項１１に記載の照明装置。
【請求項１３】
前記第１導光板及び前記第２導光板の各々は、光が出射する表面と、前記表面と反対側の裏面と、光が入射する入射面とを有し、
前記第１導光板及び前記第２導光板の各々における前記入射面側の端部には、前記表面から前記裏面にかけて貫通する複数の貫通孔が、前記入射面に沿って配列されており、
前記複数の貫通孔の少なくとも一つに前記入射面を介して対向する対向領域では、非対向領域よりも前記複数の第２光源が密に配置されている
請求項８〜１２のいずれか１項に記載の照明装置。
【請求項１４】
さらに、前記複数の第１光源の配列の長手方向における前記基板の両端部の一方及び他方に配置された一対の第３導光板を備え、
前記複数の第２光源は、さらに、前記複数の第１光源の配列の長手方向における前記基板の両端部の一方及び他方に配列され、
前記一対の第３導光板は、前記基板の両端部の一方及び他方に配列された複数の第２光源から出射する光が導光する
請求項７〜１３のいずれか１項に記載の照明装置。
【発明の詳細な説明】
【技術分野】
【０００１】
本発明は、照明装置に関する。
【背景技術】
【０００２】
従来、長尺状のＬＥＤ光源ユニットと、ＬＥＤ光源ユニットにとりつけられる長尺状の透光カバーとを備える照明装置が開示されている（例えば特許文献１参照）。この照明装置では、例えば、透光カバーの突出縁をＬＥＤ光源ユニットの溝部内に挿入し、透光カバーを押し上げ、透光カバーの変形を利用して他方の突出縁を溝部内に挿入することにより、ＬＥＤ光源ユニットに取り付ける。
【先行技術文献】
【特許文献】
【０００３】
【特許文献１】特開２０１６−３９０４４号公報
【発明の概要】
【発明が解決しようとする課題】
【０００４】
しかしながら、このような照明装置では、溝部に長尺な透光カバーをスライドさせるため、透光カバーの強度が確保されなければ、透光カバーを装置本体に取り付け難くなる。また、スライド量が大きいため、容易に取り付け及び取り外しを行うことができない。
【０００５】
そこで、本開示は、装置本体に対し透光カバーの着脱を容易に行うことができる照明装置を提供する。
【課題を解決するための手段】
【０００６】
上記目的を達成するため、本開示の一態様に係る照明装置は、光源を有し、前記光源から出射された光を通過させる開口が形成された装置本体と、長尺であり、前記光源を覆う透光性の透光カバーとを備え、前記透光カバーは、長手方向と交差する短手方向の両端部の一方と他方とを架橋状態で接続する補強部を有し、前記開口を閉じるように前記開口にスライド挿入されることで、前記装置本体に保持される照明装置。
【発明の効果】
【０００７】
本開示によれば、装置本体に対し透光カバーの着脱を容易に行うことができる。
【図面の簡単な説明】
【０００８】
【図１】図１は、実施の形態１に係る照明装置を示す斜視図である。
【図２】図２は、実施の形態１に係る照明装置を示す分解斜視図である。
【図３】図３は、図１のＩＩＩ−ＩＩＩ線における実施の形態１に係る照明装置を示す部分断面図である。
【図４】図４は、実施の形態１に係る照明装置の発光モジュール、コネクタ、遮光部材等を示す部分拡大断面図である。
【図５】図５は、実施の形態１に係る照明装置の透光カバーを示す斜視図である。
【図６】図６は、図３のＶＩ−ＶＩ線における実施の形態１に係る照明装置の受け具を示す部分拡大断面図である。
【図７】図７は、実施の形態１に係る照明装置の装置本体に対し透光カバーを着脱する状態を示す斜視図である。
【図８】図８は、図７のＶＩＩＩ−ＶＩＩＩ線における実施の形態１に係る照明装置の装置本体に対し透光カバーを着脱する状態を示す断面図である。
【図９】図９は、図８のＩＸ−ＩＸ線における実施の形態１に係る照明装置の受け具及び爪部等を示す部分拡大断面図である。
【図１０】図１０は、実施の形態１に係る第１導光板及び第２光源を示す平面図である。
【図１１】図１１は、実施の形態１に係る照明装置を示す平面図及び側面図である。
【図１２】図１２は、実施の形態２に係る照明装置を示す平面図である。
【発明を実施するための形態】
【０００９】
以下、本発明の実施の形態について、図面を参照しながら説明する。以下に説明する実施の形態は、いずれも本発明の好ましい一具体例を示すものである。したがって、以下の実施の形態で示される数値、形状、材料、構成要素、構成要素の配置位置及び接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１０】
また、「略＊＊」との記載は、「略同一」を例に挙げて説明すると、全く同一はもとより、実質的に同一と認められるものを含む意図である。
【００１１】
なお、各図は、模式図であり、必ずしも厳密に図示されたものではない。また、各図において、実質的に同一の構成に対しては同一の符号を付しており、重複する説明は省略又は簡略化する。
【００１２】
以下、本発明の実施の形態に係る照明装置について説明する。
【００１３】
（実施の形態１）
［構成］
図１は、実施の形態１に係る照明装置１を示す斜視図である。図２は、実施の形態１に係る照明装置１を示す分解斜視図である。図３は、図１のＩＩＩ−ＩＩＩ線における実施の形態１に係る照明装置１を示す部分断面図である。図４は、実施の形態１に係る照明装置１の発光モジュール２１、配線部材１２０ａ、第１遮光部材５等を示す部分拡大断面図である。
【００１４】
照明装置１の短手方向をＸ軸方向と規定し、照明装置１の長手方向をＹ軸方向と規定し、Ｘ軸方向とＹ軸方向と直交する方向をＺ軸方向と規定する。また、装置本体２に対する第１導光板３側をＸ軸プラス方向と規定し、本体モジュール２０の第１開口部２０ａに対する常夜灯側をＹ軸プラス方向と規定し、照明装置１を取付ける天井側をＺ軸プラス方向と規定し、Ｘ、Ｙ、Ｚの各方向を表示する。そして、図１に示す各方向は、図２に示す各方向に対応させて表示する。図２以降の図においても、同様である。
【００１５】
図１及び図２に示すように、照明装置１は、エッジライト方式の導光板を用いており、天井および壁などの造営材に固定されている。具体的には、照明装置１は、天井に配設されている引っ掛けシーリング１１等の外部の電源と電気的に接続された状態で固定されている。
【００１６】
照明装置１は、装置本体２と、第１導光板３と、第２導光板４と、第１遮光部材５と、第２遮光部材６と、一対の支持部材８と、透光カバー７と、複数の受け具９とを備えている。
【００１７】
装置本体２は、Ｙ軸方向に長尺な箱状体である。装置本体２は、外装カバー１２と、本体モジュール２０と、一対のレンズカバー２３と、制御部１３と、受信部１４と、電源部１５とを有する。
【００１８】
外装カバー１２は、Ｙ軸方向に長尺な矩形状の箱体であり、Ｚ軸プラス方向及びＺ軸マイナス方向で開いている。外装カバー１２は、本体モジュール２０、第１遮光部材５、第２遮光部材６、制御部１３、受信部１４、電源部１５等を収容している。外装カバー１２は、照明装置１の外側のカバーである。
【００１９】
本体モジュール２０は、Ｙ軸方向に長尺な矩形状であり、中央部分に円形状の第１開口部２０ａを有する。本体モジュール２０は、この第１開口部２０ａを介して引っ掛けシーリング１１と電気的に接続される。本体モジュール２０は、一対の発光モジュール２１と、収容体２５とを有する。
【００２０】
［発光モジュール］
図２に示すように、一対の発光モジュール２１は、例えばネジ等の締結部材１９により収容体２５に固定されている。具体的には、一対の発光モジュール２１は、第１開口部２０ａを挟むように、第１開口部２０ａに対してＹ軸プラス方向側及びＹ軸マイナス方向側にそれぞれ配置されている。なお、本実施の形態では、２つの発光モジュール２１を用いているが、１つの発光モジュール２１であってもよい。
【００２１】
図２及び図３に示すように、発光モジュール２１は、基板１２０と、複数の第１光源１２１と、複数の第２光源１２２とを有する。
【００２２】
基板１２０は、Ｙ軸方向に長尺な矩形板状である。基板１２０は、複数の第１光源１２１及び複数の第２光源１２２を実装している。基板１２０は、Ｘ軸方向及びＹ軸方向で規定される平面と略平行となるように、本体モジュール２０の収容体２５に設置されている。基板１２０には、複数の第１光源１２１及び複数の第２光源１２２に給電する配線部材１２０ａが固定されている。基板１２０は、配線部材１２０ａに接続された不図示のケーブルを介して電源部１５と電気的に接続されている。配線部材１２０ａは、第１光源１２１及び第２光源１２２に給電するリード線と、基板１２０とリード線とを電気的に接続するコネクタとを含む。配線部材１２０ａには、絶縁部材で被覆された金属配線を含む意味である。本実施の形態では、配線部材１２０ａは、基板１２０の上で点在している。
【００２３】
Ｙ軸プラス方向側の基板１２０には、第２開口部１２０ｂが形成されている。第２開口部１２０ｂは、発光モジュール２１のＹ軸プラス方向の端部側に形成される。発光モジュール２１を平面視した場合に、受信部１４は、第２開口部１２０ｂと重なるように、形成されている。これにより、受信部１４は、リモコンから送信される信号を受信可し易くなる。第２開口部１２０ｂは、開口部の一例である。
【００２４】
基板１２０は、第１光源１２１及び第２光源１２２が発した熱を放熱するように放熱部に熱的に接続されていてもよい。放熱部は、外装カバー１２にも熱的に接続されていてもよく、外装カバー１２もヒートシンクとしても役割を果たしてもよい。
【００２５】
複数の第１光源１２１は、Ｙ軸方向に長尺なマトリクス状となるように、基板１２０に配列されている。複数の第２光源１２２の一部は、複数の第１光源１２１の配列のＸ軸方向における基板１２０の両端部のＸ軸プラス方向及びＸ軸マイナス方向で、Ｙ軸方向に沿って配列されている。言い換えれば、複数の第１光源１２１に対し、Ｘ軸プラス方向側で配列されている複数の第２光源１２２と、Ｘ軸マイナス方向側で配列されている複数の第２光源１２２とは、複数の第１光源１２１を挟むように、基板１２０に配列されている。複数の第１光源１２１の配列のＸ軸方向における基板１２０の両端部のＸ軸プラス方向が、複数の第１光源１２１の配列の短手方向における基板１２０の両端部の一方の一例である。また、複数の第２光源１２２の配列のＸ軸方向における基板１２０の両端部のＸ軸マイナス方向が、複数の第２光源１２２の配列の短手方向における基板１２０の両端部の他方の一例である。また、第１光源１２１及び第２光源１２２は、光源の一例である。
【００２６】
第１光源１２１及び第２光源１２２は、光の出射方向がＺ軸マイナス方向に向いているため、Ｚ軸マイナス方向に光を出射する。光の出射方向、つまり第１光源１２１及び第２光源１２２の各々の光軸は、Ｚ軸方向と略平行である。
【００２７】
Ｘ軸プラス方向側で配列している複数の第２光源１２２の光の出射方向側には、第１導光板３が配置されている。また、Ｘ軸マイナス方向側で配列している複数の第２光源１２２の光の出射方向側には、第２導光板４が配置されている。Ｘ軸プラス方向側の第２光源１２２は、第１導光板３の入射面３１ａに光を照射する。また、Ｘ軸マイナス方向側の第２光源１２２は、第２導光板４の入射面３１ａに光を照射する。Ｘ軸プラス方向側の第２光源１２２は、光軸が第１導光板３の入射面３１ａに略直交して、入射面３１ａと対向するように配置されている。また、Ｘ軸マイナス方向側の第２光源１２２は、光軸が第２導光板４の入射面３１ａに略直交して、入射面３１ａと対向するように配置されている。つまり、第２光源１２２は、第１導光板３及び第２導光板４の各々の入射面３１ａと略垂直な関係にある。
【００２８】
また、第２光源１２２と第１導光板３及び第２導光板４との間には、第２光源１２２と第１導光板３及び第２導光板４とが接触しないように隙間が空けられている。
【００２９】
第１光源１２１及び第２光源１２２は、いわゆるＳＭＤ（Ｓｕｒｆａｃｅ  Ｍｏｕｎｔ  Ｄｅｖｉｃｅ）型のＬＥＤ素子である。ＳＭＤ型のＬＥＤ素子とは、具体的には、樹脂成型されたキャビティの中にＬＥＤチップ（発光素子）が実装され、キャビティ内に蛍光体含有樹脂が封入されたパッケージ型のＬＥＤ素子である。第１光源１２１及び第２光源１２２は、電源部１５に設けられている制御部１３により制御されて点灯及び消灯を行う。また、第１光源１２１及び第２光源１２２は、電源部１５に設けられている制御部１３により制御されて調光及び調色が行われる。例えば、青色ＬＥＤチップと黄色蛍光体含有樹脂との組み合わせにより白色光を放出する表面実装型ＬＥＤ素子が、第１光源１２１及び第２光源１２２として採用される。
【００３０】
なお、第１光源１２１及び第２光源１２２は、このような構成に限定されず、第１光源１２１及び第２光源１２２の基板１２０上にＬＥＤチップが直接的に実装されたＣＯＢ（Ｃｈｉｐ  Ｏｎ  Ｂｏａｒｄ）型のモジュールが用いられてもよい。また、第１光源１２１及び第２光源１２２が有する発光素子は、ＬＥＤに限定されず、例えば、半導体レーザ等の半導体発光素子、または、有機ＥＬ（Ｅｌｅｃｔｒｏ  Ｌｕｍｉｎｅｓｃｅｎｃｅ）、無機ＥＬ等のＥＬ素子等その他の固体発光素子であってもよい。
【００３１】
なお、もう一方の発光モジュール２１も同様の構成であるためその説明を省略する。
【００３２】
［レンズカバー］
図２及び図３に示すように、一対のレンズカバー２３は、第１開口部２０ａを挟むように、第１開口部２０ａに対してＹ軸プラス方向側及びＹ軸マイナス方向側にそれぞれ配置されている。レンズカバー２３は、基板１２０と第１遮光部材５及び第２遮光部材６とによって固定されている。レンズカバー２３は、Ｙ軸方向に長尺な矩形板状をなし、透光性を有する例えば、アクリル、ポリカーボネート等の透明な樹脂等の材料で形成されている。
【００３３】
レンズカバー２３は、複数の第１光源１２１が出射した光を配光制御するカバーであり、複数のレンズを有する。レンズカバー２３は、複数の第１光源１２１を覆うように、発光モジュール２１に配置されている。具体的には、レンズカバー２３及び複数の第１光源１２１を平面視した場合に、レンズカバー２３に形成されている個々のレンズは、各々の第１光源１２１に一対一で対応している。レンズカバー２３の各々のレンズは、これらに対応する各々の第１光源１２１から出射した光が透過する際に、透過する光の配光角を制御する。
【００３４】
なお、もう一方のレンズカバー２３も同様の構成であるためその説明を省略する。
【００３５】
［収容体］
収容体２５は、一対の発光モジュール２１と、一対のレンズカバー２３とを収容する筐体である。収容体２５には、一対の発光モジュール２１が複数の締結部材１９によって固定されている。また、収容体２５には、一対のレンズカバー２３が第１遮光部材５、第２遮光部材６及び一対の発光モジュール２１を介して固定されている。
【００３６】
［制御部］
制御部１３は、第１光源１２１、第２光源１２２及び受信部１４と電気的に接続されている。制御部１３は、例えば点灯回路部を制御することで、第１光源１２１及び第２光源１２２から出射させる光を調光制御及び調色制御することができる。制御部１３は、リモコンから送信される信号に基づいて第１光源１２１及び第２光源１２２を制御する。制御部１３は、第１光源１２１及び第２光源１２２を点灯、消灯を点灯させることができるように構成されている。例をあげると、制御部１３は、Ｙ軸プラス方向側の複数の第１光源１２１だけ、Ｙ軸マイナス方向側の複数の第１光源１２１だけ、全ての第１光源１２１だけ、Ｘ軸プラス方向側で配列された複数の第２光源１２２だけ、Ｘ軸マイナス方向側で配列された複数の第２光源１２２だけ、又は、これらを選択し、選択した組み合わせによる点灯をさせることができる。つまり、制御部１３は、複数の第１光源１２１、一部の第２光源１２２及び他の一部の第２光源１２２を選択的に点灯させる。
【００３７】
また、制御部１３は、複数の第１光源１２１の一部を常夜灯に点灯させることができる。常夜灯として点灯する箇所は、Ｙ軸プラス方向側の複数の第１光源１２１である。常夜灯として点灯する複数の第１光源１２１は、基板１２０の第２開口部１２０ｂの周辺に配置されている。なお、複数の第１光源１２１とは別に、常夜灯として点灯する第３光源がさらに設けられていてもよい。
【００３８】
制御部１３は、たとえば、ＣＰＵ（Ｃｅｎｔｒａｌ  Ｐｒｏｃｅｓｓｉｎｇ  Ｕｎｉｔ）を備えたマイクロコンピュータを用いて構成することができる。制御部１３は、例えば記憶部に記憶させた適宜のプログラムを実行させることで、所定の照明制御動作を行うことができる。記憶部は、たとえば、フラッシュメモリ、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）などの不揮発性半導体メモリを用いて構成することができる。
【００３９】
［受信部］
図２に示すように、受信部１４は、例えばリモコンから送信される信号を受信できるように構成されている。受信部１４は、赤外線受光素子、赤外線受光素子の出力を増幅し所定の信号処理を行う信号処理部等で構成される。リモコンからの信号には、第１光源１２１及び第２光源１２２を調光制御する調光指令、第１光源１２１及び第２光源１２２を調色制御する調色指令などの点灯モードの情報が含まれている。受信部１４は、赤外線受光素子で受信した信号から復調した点灯モードの情報を、信号処理部が制御部１３に出力する。
【００４０】
［電源部］
図２及び図３に示すように、電源部１５は、外部からの電力によって駆動する駆動回路、発光モジュール２１を発光させるための電力を供給するケーブル等を有する。電源部１５は、ケーブルを介して発光モジュール２１に電力を供給する。
【００４１】
［導光板］
第１導光板３は、複数の第１光源１２１のＸ軸プラス方向側に配置されている。複数の第１光源１２１のＸ軸プラス方向側が複数の第１光源１２１の一方側の一例である。第１導光板３は、Ｘ軸マイナス方向側の端部が外装カバー１２内で固定され、Ｘ軸方向及びＹ軸方向で規定される平面と略平行となるように支持されている。第１導光板３は、Ｙ軸方向に長尺な板状であり、複数の第１光源１２１のＸ軸プラス方向側に配列された複数の第２光源１２２からの光を導光する光学部材である。第１導光板３は、アクリル、ポリカーボネート等の樹脂又はガラス等の透光性の部材であるが、透光性があればその他どのような材料で形成されてもよい。なお、第１導光板３の形状は、矩形状に限らず、円盤状でもよく、多角形状など、他の形状でもよい。第１導光板３は、導光板の一例である。
【００４２】
図３に示すように、第１導光板３は、湾曲部３１と、平板部３５と、複数の係合部３９とを有する。
【００４３】
湾曲部３１は、第１導光板３におけるＸ軸マイナス方向の端縁側の部分であり、レンズカバー２３に沿ってＹ軸方向に長尺である。湾曲部３１は、Ｘ軸方向及びＺ軸方向で規定される平面で切断した場合の断面視で、第２光源１２２側から略円弧状に湾曲している。湾曲部３１は、第２光源１２２が出射した光を平板部３５に導光させる。湾曲部３１は、入射面３１ａから入射した光を平板部３５に導光させるように湾曲している。
【００４４】
図４に示すように、湾曲部３１は、入射面３１ａと、外径面３１ｂと、内径面３１ｃと、一対の突出部３２とを有する。
【００４５】
入射面３１ａは、複数の第２光源１２２からの光が入射する面である。入射面３１ａは、複数の第２光源１２２から出射する光が入射するように、複数の第２光源１２２の光軸と略垂直に配置されている。つまり、入射面３１ａは、複数の第２光源１２２が配列されたＹ軸方向に沿って形成されている。入射面３１ａは、第１導光板３の側面の一部である。
【００４６】
外径面３１ｂは、相対する第１遮光部材５側の面であり、主に平板部３５へ光を導光させるように、光を反射するように湾曲した面である。外径面３１ｂは、Ｘ軸プラス方向側の第１遮光部材５に沿ってＹ軸方向に長尺である。
【００４７】
内径面３１ｃは、外径面３１ｂと反対側の面であり、主に平板部３５へ光を導光させるように、光を反射するように湾曲した面である。内径面３１ｃは、Ｙ軸方向に長尺である。
【００４８】
突出部３２は、Ｙ軸方向に延設する入射面３１ａの両端縁に、Ｙ軸方向に沿って形成されている。一対の突出部３２は、入射面３１ａに対向する複数の第２光源１２２であって、Ｙ軸方向に配列された複数の第２光源１２２の両端側に位置する。このため、入射面３１ａは、突出部３２によって、複数の第２光源１２２から出射された光を、より多く集光することができる。
【００４９】
図２及び図３に示すように、係合部３９は、湾曲部３１の第２光源１２２側から第１光源１２１側に近づくように張り出ている。係合部３９には、切り欠きが形成されている。係合部３９は、第１遮光部材５、第１導光板３及び発光モジュール２１を、締結部材１９によって共締めする際に、切り欠きに配置される締結部材１９により、第１遮光部材５と発光モジュール２１との間で仮締めされる。
【００５０】
平板部３５は、湾曲部３１を導光してきた光を導光させ、周囲を照明する光を出射する板である。平板部３５は、Ｘ軸方向及びＹ軸方向で規定される平面と略平行に保持されている。平板部３５は、湾曲部３１のＸ軸プラス方向側、つまり、装置本体２のＸ軸プラス方向側に配置されている。平板部３５は、湾曲部３１に沿ってＹ軸方向に長尺な矩形板状の平板である。平板部３５は、板部の一例である。
【００５１】
平板部３５は、プリズム面３５ａと、出射面３５ｂと、貫通孔３５ｃとを有する。
【００５２】
プリズム面３５ａは、平板部３５のＺ軸プラス方向側の面である。プリズム面３５ａは、Ｘ軸方向及びＹ軸方向で規定される平面と略平行である。プリズム面３５ａは、導光する光を出射面３５ｂ側に向けて反射するように形成された面である。具体的には、プリズム面３５ａには、Ｚ軸マイナス方向に凹むプリズムが複数形成されている。プリズムは、本実施の形態で円錐状に凹んだ形状であるが、角錐状、円錐台状、角錐台状、半球状等に凹んだ形状であってもよい。なお、プリズム面３５ａは、光を反射するだけでなく、例えば天井等を照明する光を出射してもよい。プリズム面３５ａは、裏面の一例である。なお、プリズム面３５ａの形成は、切削、印刷などによって形成することが可能である。
【００５３】
出射面３５ｂは、平面状であり、平板部３５のＺ軸マイナス方向側の面であり、プリズム面３５ａと反対側の面である。出射面３５ｂは、Ｘ軸方向及びＹ軸方向で規定される平面と略平行である。出射面３５ｂは、例えば床、壁等を照明する光を出射する。出射面３５ｂは、表面の一例である。
【００５４】
貫通孔３５ｃは、出射面３５ｂからプリズム面３５ａにかけて貫通する。複数の貫通孔３５ｃは、湾曲部３１側に形成され、Ｙ軸方向に沿って所定の間隔をあけて配列されている。
【００５５】
支持部材８は、Ｙ軸方向に沿って長尺であり、平板部３５を本体モジュール２０に支持する部材である。支持部材８は、平板部３５の出射面３５ｂ側に配置される。支持部材８には、複数のネジ穴が所定の間隔をあけて配列されている。複数のネジ穴は、複数の貫通孔３５ｃと一対一で対応している。
【００５６】
第１導光板３は、複数の貫通孔３５ｃを介して、支持部材８のネジ穴にネジを締結することで、第１導光板３が収容体２５に支持される。
【００５７】
第２導光板４は、複数の第１光源１２１のＸ軸マイナス方向側に配置されている。複数の第１光源１２１のＸ軸マイナス方向側が複数の第１光源１２１の他方側の一例である。第２導光板４は、Ｘ軸マイナス方向側の端縁が外装カバー１２内で固定され、Ｘ軸方向及びＹ軸方向で規定される平面と略平行となるように支持されている。第２導光板４は、Ｙ軸方向に長尺な板状であり、複数の第１光源１２１のＸ軸マイナス方向側に配列された複数の第２光源１２２からの光を導光する光学部材である。第２導光板４は、導光板の一例である。
【００５８】
第２導光板４の平板部３５は、湾曲部３１のＸ軸マイナス方向側、つまり、装置本体２のＸ軸マイナス方向側に配置されている。
【００５９】
なお、第２導光板４については、第１導光板３をＺ軸方向及びＹ軸方向で規定される平面に対し対称であり、第１導光板３と同様の構成あるため、同様の構成である部分については同様の符号を用いて他の説明を省略する。支持部材８においても同様である。
【００６０】
［遮光部材］
第１遮光部材５は、第１導光板３の湾曲部３１と複数の第１光源１２１との間に配置され、複数の第１光源１２１から出射する光が第１導光板３に入射するのを妨げている。第１遮光部材５は、第１導光板３及びレンズカバー２３に沿って、Ｙ軸方向に長尺である。第１遮光部材５は、第１導光板３における湾曲部３１の外径面３１ｂから出射する光を遮光する。第１遮光部材５は、遮光部材の一例である。
【００６１】
第１遮光部材５は、光を反射する光反射機能を有する。第１遮光部材５は、例えばポリブチレンテレフタレート等の非透光性の白色樹脂等で形成されている。また、第１遮光部材５は、アクリル、ポリカーボネート等の樹脂材料に白色の樹脂を塗装して形成してもよい。なお、第１遮光部材５は、光拡散機能を有していてもよい。
【００６２】
第１遮光部材５は、第１遮光カバー５１と、第２遮光カバー５２とを有する。
【００６３】
第１遮光カバー５１は、レンズカバー２３のＸ軸プラス方向側の端縁に沿ってＹ軸方向に長尺である。第１遮光カバー５１は、第１遮光部材５のＺ軸マイナス方向から見た場合に、基板１２０の上の配線部材１２０ａを覆う。第１遮光カバー５１には、配線部材１２０ａを覆うための厚み部分が存在している。第１遮光カバー５１は、遮光カバーの一例である。
【００６４】
第１遮光カバー５１の厚み部分には、配線部材１２０ａを収容する収容空間５１ｂが形成されている。収容空間５１ｂは、コネクタ、リード線等の配線部材１２０ａを収容可能に、Ｙ軸方向に長尺である。収容空間５１ｂに配線部材１２０ａが収容されることで、配線部材１２０ａが第１遮光カバー５１に覆われる。
【００６５】
第１遮光カバー５１のＺ軸マイナス方向側の面は、締結部材１９を挿通する締結孔５１ａの周辺部分が凹んでおり、他の部分は略均一な面である。
【００６６】
図４に示すように、第１遮光カバー５１は、レンズカバー２３の端縁に沿って突出する突出係合部５１ｃを有する。少なくとも第１遮光部材５、第１導光板３及び発光モジュール２１が締結部材１９によって共締めされた場合に、突出係合部５１ｃは、発光モジュール２１とでレンズカバー２３を挟むように、レンズカバー２３の端縁と係合してレンズカバー２３を係止する。また、少なくとも、第２遮光部材６、第２導光板４及び発光モジュール２１が締結部材１９によって共締めされた場合に、突出係合部５１ｃは、発光モジュール２１と挟むように、レンズカバー２３の端縁と係合してレンズカバー２３を係止する。つまり、突出係合部５１ｃは、締結部材１９による押圧力でレンズカバー２３を発光モジュール２１に固定している。
【００６７】
図２及び図３に示すように、第１遮光カバー５１には、複数の締結孔５１ａが形成されている。複数の締結孔５１ａの各々は、複数の係合部３９の切り欠きに一対一で対応している。これにより、締結部材１９は、第１遮光カバー５１の締結孔５１ａ、係合部３９の切り欠き、発光モジュール２１の締結孔をこの順で挿通して、収容体２５のネジ穴に螺合されることで、これらを供締めする。
【００６８】
第２遮光カバー５２は、第１導光板３のＺ軸マイナス方向から見た場合に、湾曲部３１の外径面３１ｂを覆っている。第２遮光カバー５２は、湾曲部３１に沿ってＹ軸方向に長尺である。また、第２遮光カバー５２は、湾曲部３１の外径面３１ｂに沿って湾曲している。つまり、第２遮光カバー５２は、透光カバー７へ光が入射しないように、外径面３１ｂから出射する光を遮光している。第２遮光カバー５２は、外径面３１ｂから出射した光が再び、外径面３１ｂに入射するように、光を反射する。また、第２遮光カバー５２も、透光カバー７に向かう光を増やすように、第１光源１２１から出射した光を反射する。
【００６９】
第２遮光部材６は、第２導光板４の湾曲部３１と複数の第１光源１２１との間に配置され、複数の第１光源１２１から出射する光が第２導光板４に入射するのを妨げている。第２遮光部材６は、第２導光板４における湾曲部３１の外径面３１ｂから出射する光を遮光する。第２遮光部材６は、遮光部材の一例である。
【００７０】
なお、もう一方の第２遮光部材６については、Ｚ軸方向及びＹ軸方向で規定される平面に対し対称であり、第１遮光部材５と同様の構成であるため、同様の構成である部分については同様の符号を用いて他の説明を省略する。
【００７１】
［透光カバー］
図５は、実施の形態１に係る照明装置１の透光カバー７を示す斜視図である。
【００７２】
図３及び図５に示すように、透光カバー７は、装置本体２のＺ軸マイナス方向側に配置され、装置本体２に対して着脱可能である。透光カバー７は、開口２ａを閉じるように開口２ａにスライド挿入されることで、装置本体２に保持される。透光カバー７は、装置本体２のＺ軸マイナス方向側の、複数の第１光源１２１から出射された光を通過させる開口２ａを閉じている。透光カバー７をスライドする方向は、Ｙ軸方向である。
【００７３】
透光カバー７は、照明装置１をＺ軸方向から見た場合において複数の第１光源１２１を覆うカバー部材であり、複数の第１光源１２１から出射した光が透過する透光性を有する。透光カバー７は、Ｙ軸方向に長尺な矩形状である。透光カバー７は、複数の爪部を有し、複数の爪部が、第１遮光カバー５１に固定されている受け具９と係合することで、装置本体２に保持される。受け具９は、透光性を有する樹脂材料であり、第１遮光部材５及び第２遮光部材６のそれぞれに複数固定されている。本実施の形態では、受け具９は、その凹凸が透光カバー７に投影されないように、透明な樹脂材料を用いて構成されている。
【００７４】
透光カバー７は、例えばアクリル、ポリカーボネート等の透光性樹脂又はガラス等の透光性を有する材料で構成されている。透光カバー７は、さらに、光拡散性を有していてもよい。つまり、透光カバー７は、透明カバーではなく、透光性及び光拡散性を有する拡散カバーであってもよい。この場合、透光カバー７は、光拡散材が内部に分散された乳白色の拡散パネルとすることができる。このような拡散カバーは、光拡散材を混合した透光性樹脂材料を所定形状に樹脂成型することによって作製することができる。光拡散材としては、シリカ粒子等の光反射性微粒子を用いることができる。なお、後述する第１透光カバー７０及び第２透光カバー８０においても透光カバー７と同様の材料及び性質であってもよく、第１透光カバー７０及び第２透光カバー８０に含まれる構成においても同様の材料及び性質であってもよい。
【００７５】
透光カバー７は、第１透光カバー７０と、第２透光カバー８０とを有する。
【００７６】
第１透光カバー７０は、照明装置１をＺ軸方向から見た場合における外側のカバー部材であり、開口２ａを覆う。第１透光カバー７０は、Ｙ軸方向に長尺な矩形板状である。第１透光カバー７０は、複数の突片７５を有し、複数の突片７５が第２透光カバー８０を係止することで、第２透光カバー８０を保持している。
【００７７】
第１透光カバー７０は、カバー板部７１と、カバー側壁部７３とを有する。
【００７８】
カバー板部７１は、Ｘ軸方向及びＹ軸方向で規定される平面に対して略平行な透光性の平板である。カバー板部７１は、平面視で、複数の第１光源１２１を覆っている。カバー側壁部７３は、カバー板部７１の外周端縁から立ち上がるように形成された透光性の側壁である。カバー側壁部７３には、第２透光カバー８０を係止する突片７５が形成されている。
【００７９】
第２透光カバー８０は、第１透光カバー７０と装置本体２との間に配置される。第２透光カバー８０は、カバー枠部８１と、一対の傾斜部８３と、複数の爪部８５と、補強部８７とを有する。
【００８０】
カバー枠部８１は、Ｙ軸方向に長尺な矩形板状の枠体であり、第１透光カバー７０の複数の突片７５と係合し固定される。突片７５は、第２透光カバー８０を第１透光カバー７０に嵌めた際に、カバー枠部８１のＺ軸プラス方向側の外周端縁と係合し、第２透光カバー８０が第１透光カバー７０から離間することを係止する。第１透光カバー７０に第２透光カバー８０を取付けた状態では、第１透光カバー７０と傾斜部８３との間に図３の空間Ｋが形成されている。カバー枠部８１は、枠部の一例である。
【００８１】
カバー枠部８１の外周端縁側には、パッキン８８が設けられている。透光カバー７を装置本体２に取り付けた場合に、パッキン８８は、装置本体２と透光カバー７との間を封止する。パッキン８８は、例えば、ゴム等の樹脂材料からなり、スポンジ、緩衝材等である。
【００８２】
図２及び図４に示すように、傾斜部８３は、カバー枠部８１の内縁側に形成され、カバー枠部８１のＹ軸方向に沿って長尺である。言い換えれば、一対の傾斜部８３は、カバー枠部８１の両縁部の一方縁及び他方縁の各々に沿って形成されている。一対の傾斜部８３は、Ｘ軸方向及びＺ軸方向で規定される平面で切断して断面視た場合に、第１遮光部材５及び第２遮光部材６の各々の第１遮光カバー５１を沿うように、円弧状に湾曲している。一対の傾斜部８３は、Ｙ軸方向及びＺ軸方向で規定される平面で切断して断面視した場合に、第１透光カバー７０に近づくにつれて末広がりである。一方側の傾斜部８３は、他方側の傾斜部８３と、Ｚ軸方向及びＹ軸方向で規定される平面に対し対称である。傾斜部８３は、透明なカバーであってもよく、透光性及び光拡散性を有する拡散カバーであってもよい。
【００８３】
第２透光カバー８０と第１遮光部材５及び第２遮光部材６とをＺ軸マイナス方向から見た場合に、一方側の傾斜部８３が第１遮光部材５と重なり、他方側の傾斜部８３が第２遮光部材６と重なっている。傾斜部８３、第１遮光カバー５１及び湾曲部３１は、この順で、重なるようにＺ軸プラス方向に並んでいる。
【００８４】
一対の傾斜部８３は、Ｙ軸方向におけるカバー枠部８１の内縁の長さよりも短く形成されている。つまり、一対の傾斜部８３が短くなり、一対の傾斜部８３が存在していない空間が存在することにより、透光カバー７を装置本体２の開口２ａを閉じるように開口２ａにスライド挿入することができるようになる。開口２ａを閉じる際にスライド挿入する方向は、Ｙ軸プラス方向である。このため、透光カバー７をスライド挿入するスライド量は、一対の傾斜部８３が存在していない空間のＹ軸方向の長さ分である。
【００８５】
複数の爪部８５は、傾斜部８３の先端縁に形成され、Ｙ軸方向に並んでいる。一方側の傾斜部８３に形成された爪部８５は、他方側の傾斜部８３に形成された爪部８５に近づくように、傾斜部８３の先端縁から延びている。他方側の傾斜部８３に形成された爪部８５においても同様である。
【００８６】
補強部８７は、一対の傾斜部８３の先端縁に形成され、Ｚ軸方向と交差するＸ軸方向における一方側の傾斜部８３と他方側の傾斜部８３と架橋状態で接続する。言い換えれば、補強部８７は、スライドする方向と略直交する方向に延びて、一方側の傾斜部８３と他方側の傾斜部８３とを架橋している。補強部８７は、一対の傾斜部８３の変形を抑制するように、一対の傾斜部８３を補強している。本実施の形態では、１つの補強部８７が一対の傾斜部８３に形成されているが、２以上の補強部８７が一対の傾斜部８３に形成されていてもよい。
【００８７】
補強部８７は、透光カバー７を装置本体２の開口２ａを閉じるように開口２ａにスライド挿入する際に、装置本体２の内部に存在するアンテナ等の装置と接触することを回避することができる位置に形成されている。
【００８８】
補強部８７は、略透明である。補強部８７は、第２透光カバー８０のＹ軸方向における中央部分に形成されている。つまり、補強部８７は、照明装置１を平面視で、第１開口部２０ａのＺ軸マイナス方向側に存在している。このため、補強部材は、第１光源１２１が出射した光を妨げ難い位置に配置されている。なお、透光カバー７には、一本の補強部８７に限定されず、二本以上の補強部８７が形成されていてもよい。
【００８９】
また、一対の傾斜部８３のＹ軸プラス方側の端縁には、カバー枠部８１に沿って、一方側の傾斜部８３と他方側の傾斜部８３とを接続する側壁８９が形成されている。側壁８９は、一対の傾斜部８３を補強する役割も備えている。側壁８９には、透光カバー７を装置本体２の開口２ａを閉じるように開口２ａにスライド挿入する際に、リモコンの操作を受付けるアンテナと接触することを回避するために、切り欠き８９ａが形成されている。
【００９０】
［受け具］
図６は、図３のＶＩ−ＶＩ線における実施の形態１に係る照明装置１の透光カバー７を示す斜視図である。
【００９１】
図６に示すように、複数の受け具９の一部は、第１遮光部材５のＺ軸マイナス方向側で、Ｙ軸方向に配列されて固定されている。また、複数の受け具９の他の一部は、第２遮光部材６のＺ軸マイナス方向側で、Ｙ軸方向に配列されて固定されている。
【００９２】
受け具９は、爪部８５と係合することで、透光カバー７を装置本体２に保持する。本実施の形態では、複数の受け具９と、複数の爪部８５は、一対一で対応している。
【００９３】
受け具９は、アクリル、ポリカーボネート等の透光性を有する樹脂材料である。本実施の形態では、受け具９は、その凹凸が透光カバー７に投影されないように、透明な樹脂材料を用いて構成されている。
【００９４】
受け具９は、中空の筐体であり、爪部８５の挿入を受け入れる挿入口９１ａを有する。言い換えれば、挿入口９１ａは、爪部８５をスライド可能に挿入する。挿入口９１ａは、受け具９のＹ軸マイナス方向側に形成されている。透光カバー７を装置本体２の開口２ａを閉じるように開口２ａにスライド挿入する際に、Ｙ軸プラス方向側にスライドしてきた爪部８５が挿入口９１ａから挿入され、受け具９は、挿入された爪部８５を保持する。また、透光カバー７を装置本体２の開口２ａを開くようにスライドする際に、Ｙ軸マイナス方向側にスライドしてきた爪部８５が挿入口９１ａから抜け出される。
【００９５】
受け具９は、第１保持部９１と、第２保持部９２と、係止片９５とを有する。
【００９６】
第１保持部９１には、受け具９のＹ軸マイナス方向側に配置され、爪部８５をスライド可能に挿入する挿入口９１ａが形成されている。第１保持部９１は、挿入口９１ａから挿入される爪部８５を第１の態様で保持することができる。具体的には、爪部８５が第１保持部９１内で保持されている場合に、第１保持部９１は、爪部８５のＺ軸プラス方向以外を囲むため、爪部８５がＺ軸プラス方向以外へ移動することを規制している。このため、第１の態様は、後述する図８の（ｃ）で示すように装置本体２の開口２ａの一部が開いた状態であり、透光カバー７が装置本体２に取り付けられ、爪部８５がＺ軸プラス方向に移動することが可能な態様である。
【００９７】
第１保持部９１には、挿入口９１ａを形成する立壁部９１ｂが形成されている。立壁部９１ｂは、挿入口９１ａを形作る突出部である。立壁部９１ｂは、第１の態様で保持される爪部８５をＹ軸マイナス方向へ移動することを抑制する。
【００９８】
第２保持部９２は、第１保持部９１に対して上る段状に形成されている。第２保持部９２には、受け具９のＹ軸プラス方向側に配置され、挿入口９１ａ、第１保持部９１を通過して挿入される爪部８５を当て留めて保持する。第２保持部９２は、挿入口９１ａから挿入される爪部８５を、第１の態様と異なる第２の態様で保持することができる。具体的には、爪部８５が第２保持部９２内で保持されている場合に、第２保持部９２は、爪部８５のＹ軸マイナス方向以外を囲むため、爪部８５がＹ軸マイナス方向以外へ移動することを規制している。つまり、爪部８５は、第２保持部９２と係止片９５とにより、第１の態様と異なる第２の態様で保持される。
【００９９】
係止片９５は、Ｙ軸方向に長尺であり、第１保持部９１から第２保持部９２に跨って設けられている。係止片９５は、爪部８５とスライド可能に係合する。係止片９５は、爪部８５が第１保持部９１と第２保持部９２との間を移動する際に、爪部８５の移動を抑制するために、受け具９の内部に突出している。爪部８５が第１保持部９１と第２保持部９２との間を移動する際に、係止片９５は、爪部８５と当接して爪部８５の移動する力により受け具９の外側に弾性変形し、爪部８５が離れるにつれて復元力により元に戻る。
【０１００】
係止片９５は、受け具９の内部に突出しているため、第２保持部９２に爪部８５が存在する場合に、爪部８５がＹ軸マイナス方向へ移動することを抑制する。このため、第２の態様は、図１で示すように透光カバー７を装置本体２の開口２ａを閉じた状態で取り付けられ、係止片９５により爪部８５の移動が抑制されている態様である。第２の態様は、第１の態様よりも爪部８５を保持する力が強い。
【０１０１】
［透光カバーの取り付け］
透光カバー７を装置本体２への取り付けについて説明する。
【０１０２】
図７は、実施の形態１に係る照明装置１の装置本体２に対し透光カバー７を着脱する状態を示す斜視図である。図８は、図７のＶＩＩＩ−ＶＩＩＩ線における実施の形態１に係る照明装置１の装置本体２に対し透光カバー７を着脱する状態を示す断面図である。図９は、図８のＩＸ−ＩＸ線における実施の形態１に係る照明装置１の受け具９及び爪部８５等を示す部分拡大断面図である。
【０１０３】
図７に示すように、透光カバー７の傾斜部８３を装置本体２の開口２ａに挿入し、装置本体２のＹ軸マイナス方向側の端縁に透光カバー７の空間８３ａに対応させた状態で、透光カバー７を装置本体２に配置し、透光カバー７で開口２ａの一部を覆う。これが、図７、図８の（ａ）、図９の（ａ）で示す状態である。図８の（ａ）は、図７のＶＩＩＩ−ＶＩＩＩ線における透光カバー７を装置本体２に取り付ける前の状態を示し、実施の形態１に係る照明装置１を示す断面図である。図９の（ａ）は、図８の（ａ）のＩＸＡ−ＩＸＡ線における実施の形態１に係る照明装置１の受け具９、透光カバー７等を示す部分拡大断面図である。
【０１０４】
図８の（ａ）及び図９の（ａ）に示すように、透光カバー７をＹ軸プラス方向にスライドさせると、透光カバー７の爪部８５は、受け具９の挿入口９１ａから挿入される。挿入口９１ａから挿入された透光カバー７の爪部８５は、図９の（ｂ）で示す状態となる。図９の（ｂ）は、図８の（ａ）のＩＸＡ−ＩＸＡ線において爪部８５が第１保持部９１に挿入された状態を示し、実施の形態１に係る照明装置１の受け具９、透光カバー７等を示す部分拡大断面図である。図９の（ｂ）に示すように、爪部８５は、第１保持部９１を通過して第２保持部９２に進む際に、係止片９５を受け具９の外側に弾性変形させながら、第２保持部９２に進む。
【０１０５】
爪部８５が第２保持部９２に挿入されて、図８の（ｂ）及び図９の（ｃ）で示す状態となる。図８の（ｂ）は、図７のＶＩＩＩ−ＶＩＩＩ線における実施の形態１に係る照明装置１を示す断面図である。図９の（ｃ）は、図８の（ｂ）のＩＸＢ−ＩＸＢ線における実施の形態１に係る照明装置１の受け具９、透光カバー７等を示す部分拡大断面図である。図８の（ｂ）及び図９の（ｃ）に示すように、爪部８５は第２保持部９２に挿入され、係止片９５がその復元力により元に戻る。
【０１０６】
このように、開口２ａを閉じるように透光カバー７を開口２ａにスライド挿入することで、複数の爪部８５が複数の第２保持部９２に一対一で対応するように第２の態様で保持される。つまり、複数の爪部８５が装置本体２の複数の受け具９に一対一で対応するように保持されるため、透光カバー７は、装置本体２に取り付けられる。また、装置本体２に取り付けられた透光カバー７は、開口２ａを開いてＹ軸マイナス方向にスライドされることで、装置本体２から取り外すことができる。
【０１０７】
また、図８の（ｃ）に示すように、複数の爪部８５が複数の第１保持部９１に一対一で対応するように第１の態様で保持されると、各々の爪部８５は、Ｚ軸プラス方向側に移動することができる。透光カバー７は、第２の態様である場合よりも、装置本体２から容易に取り外し易い状態で保持される。
【０１０８】
［位置関係］
次に、貫通孔３５ｃと第２光源１２２との位置関係について、図１０を用いて説明する。
【０１０９】
図１０は、実施の形態１に係る第１導光板３及び第２光源１２２を示す平面図である。
【０１１０】
図１０に示すように、平板部３５に形成されている貫通孔３５ｃは、第１導光板３及び第２導光板４内を進行する光を遮ってしまう。つまり、湾曲部３１を導光してきた光が平板部３５に進行する。このとき、導光する光の一部は、貫通孔３５ｃによって遮られる。このため、第１導光板３及び第２導光板４内には、影が形成され易くなる。このような影が発生すると、第１光源１２１の発光時に、第１導光板３及び第２導光板４の出射面３５ｂから出射する光に輝度斑が生じてしまい、見栄えが悪くなる。
【０１１１】
このような観点から、図１０に示すように、本実施の形態では、影の発生を抑制するために、貫通孔３５ｃ周辺における複数の第２光源１２２を密に配置している。具体的には、複数の貫通孔３５ｃの少なくとも一つに入射面３１ａを介して対向する対向領域Ｈ１では、非対向領域Ｈ２よりも複数の第２光源１２２が密に配置されている。つまり、貫通孔３５ｃからＹ軸方向に配置されている、配列された複数の第２光源１２２の一部を密に配置する。このように、複数の第２光源１２２の一部を密に配置ことで、各々の第２光源１２２が出射した光によって貫通孔３５ｃが明るく照らされるため、貫通孔３５ｃによって生じる影を打ち消し易くなる。非対向領域Ｈ２は、隣り合う２つの対向領域Ｈ１の間の領域であり、貫通孔３５ｃに対向していない。
【０１１２】
非対向領域Ｈ２に配置される複数の第２光源１２２は対向領域Ｈ１から離れるにしたがって間隔が大きくなるように配列されている。なお、非対向領域Ｈ２では、２つの対向領域Ｈ１に挟まれている領域であるので、複数の第２光源１２２の間隔は、真ん中の間隔が最も広く、両端の間隔が最も狭くなっている。このため、非対向領域Ｈ２においては、複数の第２光源１２２が対向領域Ｈ１から離れるにしたがって間隔が大きくなるように配列されているので、対向領域Ｈ１から離れるにつれて徐々に輝度が弱まる。これにより、対向領域Ｈ１と非対向領域Ｈ２との境界部分で急峻に輝度が変化することを抑えることで、輝度ムラが目立つことを抑制している。
【０１１３】
［動作］
このような照明装置１では、複数の第１光源１２１から出射した光は、レンズカバー２３のレンズで配光制御されて透光カバー７に入射する。具体的には、レンズカバー２３から出射した光は、一部が第１透光カバー７０で拡散されて、第１透光カバー７０から出射する。また、レンズカバー２３から出射した光は、他の一部が第２透光カバー８０の傾斜部８３に入射し、傾斜部８３で拡散されたり、傾斜部８３を透過して遮光部材で反射され、再び傾斜部８３に入射して傾斜部８３で拡散されたりする。これにより、空間Ｋ内に光が広がる。このため、透光カバー７からは、光の均一性が高められた光を出射することができる。
【０１１４】
また、Ｙ軸プラス方向側及びＹ軸マイナス方向側の複数の第２光源１２２から出射した光は、第１導光板３及び第２導光板４の各々の入射面３１ａに入射して湾曲部３１及び平板部３５を導光する。湾曲部３１では、内径面３１ｃ及び外径面３１ｂで反射されたり、外径面３１ｂから出射しても第１遮光部材５及び第２遮光部材６で反射された光が入射したりする。平板部３５を導光する一部の光は、プリズム面３５ａで反射されて出射面３５ｂに向かい、出射面３５ｂから出射する。また、平板部３５を導光する他の一部の光は、プリズム面３５ａから出射し、天井を照明する。こうして、この照明装置１では、透光カバー７、第１導光板３及び第２導光板４の各々から光を出射することで、周囲を照明することができる。
【０１１５】
［照明態様］
次に、照明装置１の照明態様について説明する。
【０１１６】
図１１は、実施の形態１に係る照明装置１を示す平面図及び側面図である。
【０１１７】
図１１に示すように、照明装置１を平面視した場合に、照明装置１は、第１導光板３から光が出射する第１出射領域Ｒ１と、第２導光板４から光が出射する第２出射領域Ｒ２と、第３導光板２０３から光が出射する第３出射領域Ｒ３とを有する。この照明装置１では、制御部１３がＸ軸プラス方向側の複数の第２光源１２２を点灯させることで、第１導光板３から光を出射させて、周囲を照明することができる。つまり、この照明装置１では、第１導光板３の出射面３５ｂに対応する第１出射領域Ｒ１から光が出射する。第１出射領域Ｒ１、第２出射領域Ｒ２及び第３出射領域Ｒ３のそれぞれの面積は、略等しい。
【０１１８】
また、この照明装置１では、制御部１３がＸ軸マイナス方向側の複数の第２光源１２２を点灯させることで、第２導光板４から光を出射させて、周囲を照明することができる。つまり、この照明装置１では、第２導光板４の出射面３５ｂに対応する第２出射領域Ｒ２から光が出射する。
【０１１９】
さらに、この照明装置１では、制御部１３が複数の第１光源１２１を点灯させることで、一対のレンズカバー２３を介して透光カバー７から光を出射させて、周囲を照明することができる。つまり、この照明装置１では、透光カバー７に対応する第３出射領域Ｒ３から光が出射する。
【０１２０】
この照明装置１では、制御部１３がＸ軸プラス方向側の複数の第２光源１２２だけを点灯させれば第１出射領域Ｒ１から光が出射し、制御部１３がＸ軸マイナス方向側の複数の第２光源１２２だけを点灯させれば第２出射領域Ｒ２から光が出射し、制御部１３が複数の第１光源１２１だけを点灯させれば第３出射領域Ｒ３から光が出射する。このように、この照明装置１では、第１導光板３から光が出射する第１出射領域Ｒ１と、第２導光板４から光が出射する第２出射領域Ｒ２と、第１光源１２１から光が出射する第３出射領域Ｒ３とで照らし分けを行うことができる。
【０１２１】
また、この照明装置１では、制御部１３がＹ軸プラス方向側の複数の第１光源１２１を常夜灯に点灯させれば、一対のレンズカバー２３を介して透光カバー７から常夜灯としての光を出射させることができる。
【０１２２】
この照明装置１では、第１出射領域Ｒ１、第２出射領域Ｒ２及び第３出射領域Ｒ３から出射する光量は、略等しい。つまり、制御部１３は、第１出射領域Ｒ１、第２出射領域Ｒ２及び第３出射領域Ｒ３から出射する各々の光量が等しくなるように、複数の第１光源１２１、複数の第２光源１２２が出射する光量を制御するため、電源部１５を制御する。
【０１２３】
また、この照明装置１では、第１出射領域Ｒ１、第２出射領域Ｒ２及び第３出射領域Ｒ３のそれぞれを点灯させることができるが、これら領域を任意に組み合わせた点灯を行うこともできる。また、第３出射領域Ｒ３をＹ軸プラス方向側及びＹ軸マイナス方向側に分割し、照らし分けを行うことができてもよい。
【０１２４】
［作用効果］
次に、本実施の形態における照明装置１の作用効果について説明する。
【０１２５】
上述したように、本実施の形態に係る照明装置１は、光源を有し、光源から出射された光を通過させる開口２ａが形成された装置本体２と、長尺であり、光源を覆う透光性の透光カバー７とを備える。また、透光カバー７は、Ｙ軸方向と交差するＸ軸方向の両端部の一方と他方とを架橋状態で接続する補強部８７を有する。そして、透光カバー７は、開口２ａを閉じるように開口２ａにスライド挿入されることで、装置本体２に保持される。
【０１２６】
これによれば、補強部８７がＹ軸方向と交差するＸ軸方向における透光カバー７の両端部の一方と他方とを架橋状態で接続している。このため、透光カバー７の剛性を確保することができている。このため、開口２ａを閉じるように透光カバー７を装置本体２の開口２ａにスライド挿入する際に、透光カバー７が湾曲したりして取り付け難くなり難い。また、透光カバー７を装置本体２から取り外す場合においても同様である。
【０１２７】
したがって、装置本体２に対し透光カバー７の着脱を容易に行うことができる。
【０１２８】
また、本実施の形態に係る照明装置１において、透光カバー７は、さらに、開口２ａを覆う第１透光カバー７０と、第１透光カバー７０に固定されるカバー枠部８１と、カバー枠部８１の両縁部の一方縁及び他方縁の各々に沿って形成された一対の傾斜部８３とを有する第２透光カバー８０とを有する。また、一対の傾斜部８３は、透光カバー７をＹ軸方向と直交する平面で切断して断面視した場合に、第１透光カバー７０に近づくにつれて末広がりである。そして、一対の傾斜部８３と第１透光カバー７０との間には、空間８３ａが形成されている。
【０１２９】
これによれば、第１透光カバー７０が開口２ａを覆い、第２透光カバー８０がカバー枠部８１の両縁部の一方縁及び他方縁の各々に沿って形成された一対の傾斜部８３を有する。一対の傾斜部８３は、透光カバー７をＹ軸方向と直交する平面で切断して断面視した場合に、第１透光カバー７０に近づくにつれて末広がりになっている。このため、複数の第１光源１２１が出射した光を、第２透光カバー８０の一対の傾斜部８３が拡散することで、一対の傾斜部８３と第１透光カバー７０との間の空間８３ａに光が入り込み易くなる。このため、透光カバー７から光の均一性が高められた光を出射することができる。
【０１３０】
また、本実施の形態に係る照明装置１において、補強部８７は、一対の傾斜部８３を架橋状態で接続する。
【０１３１】
これによれば、傾斜部８３の強度を確保することができる。特に、本実施の形態のように、傾斜部８３が湾曲した板状の部材であれば、一対の傾斜部８３の先端を架橋することで、補強部８７の強度を確保することができる。
【０１３２】
また、本実施の形態に係る照明装置１において、一対の傾斜部８３は、Ｙ軸方向における第１透光カバー７０の長さよりも短い。
【０１３３】
これによれば、一対の傾斜部８３がＹ軸方向における第１透光カバー７０の長さよりも短いため、一対の傾斜部８３が短くなっている部分に空間８３ａが生まれる。このため、例えば図７のように透光カバー７を装置本体２に取り付ける前の状態にすることができる。また、この透光カバー７では、装置本体２に脱着する際のスライド量が大きくなり難いため、装置本体２に対し透光カバー７の着脱を容易に行うことができる。
【０１３４】
また、本実施の形態に係る照明装置１において、透光カバー７は、さらに、爪部８５を有する。また、装置本体２は、爪部８５と係合する受け具９を有する。受け具９は、爪部８５をスライド可能に挿入する挿入口９１ａが形成され、爪部８５を第１の態様で保持する第１保持部９１と、第１保持部９１を通過して挿入される爪部８５を当て留める第２保持部９２と、第１保持部９１から第２保持部９２に跨って設けられて爪部８５とスライド可能に係合する係止片９５とを有する。そして、爪部８５は、第２保持部９２と係止片９５とにより、第１の態様と異なる第２の態様で保持される。
【０１３５】
これによれば、第１保持部９１が挿入口９１ａから挿入される爪部８５を第１の態様で保持する。また、第２保持部９２が第１保持部９１に対して段状に形成されて挿入される爪部８５を当て留めて、係止片９５が爪部８５と係合して、爪部８５の移動を抑制して第２の態様で保持している。このため、爪部８５は、第２保持部９２に第２の態様で保持される場合は、第２保持部９２により当て留められ、かつ、係止片９５と係合するため、第１の態様よりも強固に保持される。
【０１３６】
また、本実施の形態に係る照明装置１において、第２保持部９２は、第１保持部９１に対して上る段状に形成される。
【０１３７】
これによれば、第２保持部９２が第１保持部９１に対して上る段状に形成されるため、爪部８５が第２の態様で保持されている状態から、不意に爪部８５が第２の態様で保持されなくなったとしても、第１保持部９１が爪部８５を第１の態様で保持することができる。このため、この照明装置１では、透光カバー７の落下を抑制することができる。
【０１３８】
また、本実施の形態に係る照明装置１において、光源は、基板１２０に実装された複数の第１光源１２１と、基板１２０に実装された複数の第２光源１２２とを有する。また、さらに、周囲を照明する光を出射する平板部３５と、複数の第２光源１２２が出射した光を平板部３５に導光させる湾曲部３１とを有し、複数の第２光源１２２が出射した光を導光する導光板と、Ｙ軸方向と直交する平面で切断して断面視した場合に、湾曲部３１に沿って配置され、第１光源１２１から出射する光が導光板に入射するのを妨げる遮光部材とを備える。そして、傾斜部８３は、Ｙ軸方向と直交する平面で切断して断面視した場合に、遮光部材に沿って配置されている。
【０１３９】
これによれば、遮光部材が湾曲部３１に沿って配置され、第１光源１２１から出射する光が導光板に入射するのを妨げる。また、傾斜部８３は、Ｙ軸方向と直交する平面で切断して断面視した場合に、遮光部材に沿って配置されている。このため、第１光源１２１から出射した光が、遮光部材に入射する前に、傾斜部８３に入射して拡散され易くなる。また、傾斜部８３を透光して遮光部材に入射しても、遮光部材で反射されて傾斜部８３に入射し、傾斜部８３でさらに拡散される。このため、一対の傾斜部８３と第１透光カバー７０との間の空間８３ａに光が入り込み易くなる。このため、透光カバー７から光の均一性が高められた光を出射することができる。
【０１４０】
特に、導光板は、周囲を照明する光を出射する平板部３５と、第２光源１２２が出射した光を平板部３５に導光させる湾曲部３１とを有する。このため、本実施の形態の様に、第１光源１２１から光を出射させ、かつ、装置本体２の両側の導光板から光を出射させる態様でも、第１光源１２１と第２光源１２２とを実装した基板を別々にする必要もない。その結果、この照明装置１では、部品点数の増加による組み付け工数の増加が抑制されるため、製造コストの高騰化を抑制することができる。
【０１４１】
また、本実施の形態に係る照明装置１は、さらに、基板１２０に実装された複数の第１光源１２１と、基板１２０に実装された複数の第２光源１２２とを有する光源を制御する制御部１３を備える。導光板は、第１導光板３と、第２導光板４とを有する。また、当該照明装置１を平面視した場合において、第１導光板３から光が出射する第１出射領域Ｒ１と、第２導光板４から光が出射する第２出射領域Ｒ２と、第１光源１２１から光が出射する第３出射領域Ｒ３とを備える。制御部１３は、第１出射領域Ｒ１、第２出射領域Ｒ２及び第３出射領域Ｒ３から出射する光を選択的に点灯させる。
【０１４２】
これによれば、制御部１３が第１出射領域Ｒ１と、第２出射領域Ｒ２と、第３出射領域Ｒ３とから出射する光を選択的に点灯させるため、第１導光板３、第２導光板４、透光カバー７の各々から、個別の又は選択を組み合わせた照明態様により、周囲を照明する光を出射することができる。その結果、この照明装置１では、第１導光板３、第２導光板４、透光カバー７の各々を照らし分けすることができる。
【０１４３】
また、本実施の形態に係る照明装置１において、複数の第１光源１２１は、Ｙ軸方向に配列される。さらに、複数の第２光源１２２は、複数の第１光源１２１の配列のＸ軸方向における基板１２０の両端部の一方及び他方で、Ｙ軸方向に沿って配列される。また、導光板は、Ｙ軸方向に長尺な第１導光板３と、Ｙ軸方向に長尺な第２導光板４とを有する。さらに、第１導光板３は、複数の第１光源１２１の一方に配置され、複数の第１光源１２１の一方に配列された一部の第２光源１２２が出射する光を導光させる。また、第２導光板４は、複数の第１光源１２１の他方に配置され、複数の第１光源１２１の他方に配列された他の一部の第２光源１２２が出射する光を導光させる。さらに、遮光部材は、第１遮光部材５と、第２遮光部材６とを有する。また、第１遮光部材５は、第１導光板３と複数の第１光源１２１との間に配置され、複数の第１光源１２１から出射する光が第１導光板３に入射するのを妨げる。さらに、第２遮光部材６は、第２導光板４と複数の第１光源１２１との間に配置され、複数の第１光源１２１から出射する光が第２導光板４に入射するのを妨げる。
【０１４４】
これによれば、第１遮光部材５は、第１導光板３と第１光源１２１との間に配置され、複数の第１光源１２１から出射する光を第１導光板３に入射するのを妨げる。また、第２遮光部材６は、第１導光板３と第１光源１２１との間に配置され、複数の第１光源１２１から出射する光を第２導光板４に入射するのを妨げる。第１導光板３は、基板１２０の両端部の一方に配置され、基板１２０の両端部の一方に配列された複数の第２光源１２２が出射する光を導光させる。また、第２導光板４は、基板１２０の両端部の他方に配置され、基板１２０の両端部の他方に配列された第２光源１２２が出射する光を導光させる。
【０１４５】
このため、一方に配列された複数の第２光源１２２が点灯されれば、第１導光板３から出射した光によって周囲を照明することができる。また、他方に配列された複数の第２光源１２２が点灯されれば、第２導光板４から出射した光によって周囲を照明することができる。さらに、複数の第１光源１２１だけを点灯させれば、透光カバー７から出射した光で周囲を照明することができる。その結果、この照明装置１では、第１導光板３、第２導光板４、透光カバー７の各々を照らし分けすることができる。
【０１４６】
特に、第１光源１２１、一部の第２光源１２２及び他の一部の第２光源１２２を選択的に点灯させた場合において、遮光部材が導光板への光漏れを抑制するため、導光板から輝度斑が抑制された光を出射することができる。
【０１４７】
また、本実施の形態に係る照明装置１において、透光カバー７をスライドする方向は、Ｙ軸方向である。
【０１４８】
これによれば、透光カバー７をＹ軸方向にスライドさせて透光カバー７を装置本体２に対して着脱させれば、透光カバー７の着脱時に第１導光板３及び第２導光板４を傷つけるリスクを低減することができる。また、この照明装置１のＹ軸方向には、導光板が設けられていないため、透光カバー７を取付けるスペースを確保することができる。
【０１４９】
また、本実施の形態に係る照明装置１において、第１出射領域Ｒ１、第２出射領域Ｒ２及び第３出射領域Ｒ３から出射する光量は、略等しい。
【０１５０】
これによれば、第１出射領域Ｒ１、第２出射領域Ｒ２及び第３出射領域Ｒ３から出射する光量が略等しい。このため、照明装置１の見栄えが良くなる。
【０１５１】
また、本実施の形態に係る照明装置１において、第１出射領域Ｒ１、第２出射領域Ｒ２及び第３出射領域Ｒ３のそれぞれの面積は、略等しい。
【０１５２】
それぞれの面積が異なる場合、例えば第１出射領域Ｒ１、第２出射領域Ｒ２及び第３出射領域Ｒ３から出射する光量を略等しくするには、どれかの領域の光量を多くしたり又は少なくしたりしなければならない。この場合に照明装置１を見ると、どれかの領域が不均一に発光してしまうこととなる。しかし、これによれば、第１出射領域Ｒ１、第２出射領域Ｒ２及び第３出射領域Ｒ３のそれぞれの面積は、略等しい。このため、照明装置１の見栄えが良くなる。
【０１５３】
また、本実施の形態に係る照明装置１において、第１導光板３及び第２導光板４の各々は、光が出射する出射面３５ｂと、出射面３５ｂと反対側のプリズム面３５ａと、光が入射する入射面３１ａとを有する。また、第１導光板３及び第２導光板４の各々における入射面３１ａ側の端部には、出射面３５ｂからプリズム面３５ａにかけて貫通する複数の貫通孔３５ｃが、入射面３１ａに沿って配列されている。そして、複数の貫通孔３５ｃの少なくとも一つに入射面３１ａを介して対向する対向領域Ｈ１では、非対向領域Ｈ２よりも複数の第２光源１２２が密に配置されている。
【０１５４】
このように、複数の貫通孔３５ｃの少なくとも一つに入射面３１ａを介して対向する対向領域Ｈ１では、非対向領域Ｈ２よりも複数の第２光源１２２が密に配置されているため、貫通孔３５ｃが複数の第１光源１２１によって照らされることになる。これにより、一つの第２光源１２２で照射された場合に形成される影は、その他の第２光源１２２からの光によって打ち消される。したがって、取付用の貫通孔３５ｃを起因とした第１導光板３及び第２導光板４内の影の発生を抑制することができる。このため、第１導光板３及び第２導光板４の各々の出射面３５ｂでの光の均一性を高めることができる。
【０１５５】
（実施の形態２）
本実施の形態に係る照明装置２００の構成について説明する。
【０１５６】
図９は、実施の形態２に係る第１導光板３及び第２光源１２２を示す上面図である。図９では、複数の第１光源１２１を省略している。
【０１５７】
本実施の形態では、一対の第３導光板２０３がさらに設けられている点で実施の形態１と異なっている。また、本実施の形態の照明装置２００は、特に明記しない場合、実施の形態１と同様であり、同一の構成については同一の符号を付して構成に関する詳細な説明を省略する。
【０１５８】
実施の形態１では、発光モジュール２２１の第１光源１２１のＸ軸方向の両側に、複数の第２光源１２２が配列されているが、本実施の形態では、さらに、第１光源１２１のＹ軸方向の両側にも複数の第２光源１２２が配列されている。
【０１５９】
図４及び図９に示すように、発光モジュール２２１は、複数の第１光源１２１と、複数の第１光源１２１の周囲を囲むように配列された複数の第２光源１２２とを有する。
【０１６０】
一方側の第３導光板２０３は装置本体２のＹ軸プラス方向側に配置され、他方側の第３導光板２０３は装置本体２のＹ軸マイナス方向側に配置されている。第１導光板３、第２導光板４及び一対の第３導光板２０３は、平面視した場合に、複数の第１光源１２１の周囲を囲むように配置されている。一方側の第３導光板２０３は、複数の第１光源１２１のＹ軸プラス方向における基板１２０の両端部の一方に配列された複数の第２光源１２２の光を導光させ、その光を出射する。また、他方側の第３導光板２０３は、複数の第１光源１２１のＹ軸マイナス方向における基板１２０の両端部の一方に配列された複数の第２光源１２２の光を導光させ、その光を出射する。
【０１６１】
第３導光板２０３は、外装カバー１２内で固定され、Ｘ軸方向及びＹ軸方向で規定される平面と略平行となるように支持されている。第３導光板２０３は、略矩形板状であり、Ｙ軸方向側に配列された第２光源１２２からの光を導光する光学部材である。第３導光板２０３は、アクリル、ポリカーボネート等の樹脂又はガラス等の透光性の部材であるが、透光性があればその他どのような材料で形成されてもよい。なお、第１導光板３の形状は、矩形状に限らず、円盤状でもよく、多角形状など、他の形状でもよい。第３導光板２０３は、第１導光板３及び第２導光板４と形状の違いを除き、他の構成については同様であるため、その説明を省略する。
【０１６２】
このような照明装置２００では、実施の形態１の第１出射領域Ｒ１、第２出射領域Ｒ２及び第３出射領域Ｒ３の照らし分けに加えて、一対の第３導光板２０３を、さらに照らし分けることができる。また、第１出射領域Ｒ１、第２出射領域Ｒ２及び第３出射領域Ｒ３、一方の第３導光板２０３の出射領域及び他方の第３導光板２０３の出射領域を選択的に組み合わせることによって点灯させてもよい。
【０１６３】
［作用効果］
次に、本実施の形態における照明装置２００の作用効果について説明する。
【０１６４】
上述したように、本実施の形態に係る照明装置２００において、さらに、複数の第１光源１２１の配列のＹ軸方向における基板１２０の両端部の一方及び他方に配置された一対の第３導光板２０３を備える。また、複数の第２光源１２２は、さらに、複数の第１光源１２１の配列のＹ軸方向における基板１２０の両端部の一方及び他方に配列される。そして、一対の第３導光板２０３は、基板１２０の両端部の一方及び他方に配列された複数の第２光源１２２から出射する光が導光する。
【０１６５】
このように、さらに複数の第１光源１２１のＹ軸方向における基板１２０の両端部の一方及び他方に複数の第２光源１２２を配列するため、複数の第２光源１２２は、複数の第１光源１２１の周囲を囲むように配列することとなる。このため、複数の第１光源１２１の周囲を囲むように第３導光板２０３を配置することができるため、照明装置２００の周囲をより均一に照明することができる。
【０１６６】
本実施の形態における他の作用効果についても、実施の形態１と同様の作用効果を奏する。
【０１６７】
（その他変形例等）
以上、本発明について、実施の形態１、２に基づいて説明したが、本発明は、上記実施の形態１、２に限定されるものではない。
【０１６８】
例えば、上記実施の形態１、２に係る照明装置は、さらに、スピーカを有していてもよい。スピーカは、Ｗｉ−Ｆｉ（登録商標）、ｂｌｕｅｔｏｏｔｈ（登録商標）等の近距離無線通信によって、外部装置から音声信号を受信し、音声信号に基づいた音声を出力してもよい。この場合、スピーカ用のアンテナが本体モジュールに配置されていてもよい。
【０１６９】
また、上記実施の形態１、２に係る照明装置は、矩形状に限定されず、例えば、平面視で略円形状であってもよく、形状は特に限定されない。この場合、複数の第１光源は、発光モジュールを平面視で、略円形状等に配置されていてもよい。また、複数の第２光源は、複数の第１光源を囲むように配置されていてもよい。
【０１７０】
また、上記実施の形態１、２に係る照明装置は、一対の導光板に限定されず、一枚の導光板であってもよく、三枚以上の導光板であってもよい。さらに、導光板は、装置本体を囲む環状体であってもよい。
【０１７１】
また、上記実施の形態１、２に係る照明装置において、制御部は、第１出射領域、第２出射領域及び第３出射領域から出射する光の調光レベル及び調色レベルを略同一に制御することができてもよい。
【０１７２】
また、上記実施の形態１、２に係る照明装置において、導光板は、装置本体の周囲に複数配置されているが、照明装置を平面視で装置本体の周囲を囲む枠状の導光板であってもよい。つまり、導光板は、１枚でもよい。
【０１７３】
その他、実施の形態１、２に対して当業者が思いつく各種変形を施して得られる形態、本発明の趣旨を逸脱しない範囲で実施の形態１、２における構成要素及び機能を任意に組み合わせることで実現される形態も本発明に含まれる。
【符号の説明】
【０１７４】
１、２００  照明装置
２  装置本体
２ａ  開口
３  第１導光板（導光板）
４  第２導光板（導光板）
５  第１遮光部材（遮光部材）
６  第２遮光部材（遮光部材）
７  透光カバー
９  受け具
１３  制御部
３１  湾曲部
３１ａ  入射面
３５  平板部（板部）
３５ａ  プリズム面（裏面）
３５ｂ  出射面（表面）
３５ｃ  貫通孔
７０  第１透光カバー
８０  第２透光カバー
８１  カバー枠部（枠部）
８３  傾斜部
８５  爪部
８７  補強部
９１  第１保持部
９１ａ  挿入口
９２  第２保持部
９５  係止片
１２０  基板
１２０ａ  配線部材
１２１  第１光源（光源）
１２２  第２光源（光源）
２０３  第３導光板（導光板）
【図１】
2019016556.tif 000003
【図２】
2019016556.tif 000004
【図３】
2019016556.tif 000005
【図４】
2019016556.tif 000006
【図５】
2019016556.tif 000007
【図６】
2019016556.tif 000008
【図７】
2019016556.tif 000009
【図８】
2019016556.tif 000010
【図９】
2019016556.tif 000011
【図１０】
2019016556.tif 000012
【図１１】
2019016556.tif 000013
【図１２】
2019016556.tif 000014